(57)【要約】      （修正有） 【課題】コーヒー豆を押さえつけ破砕する力を弱め、デッドロック現象の発生を防ぎ、モータの過大な負荷による焼損を防ぐコーヒー豆の破砕装置を提供する。【解決手段】外側の環状カッター座と内部カッター座とを含み、環状カッター座ａは、内壁上部に連続した凹状部を形成して粗挽き歯ａ１とし、内壁下部には細挽き歯ａ２を形成し、内部カッター座ｅは外側環状カッター座の内壁に囲繞された空間に設けられ、環状カッター座の内壁との間に間隔を保持し、回動自在に設けられる。内部カッター座は円錐状を呈し、円錐面の上部に複数の凹溝ｅ１を形成し、下部に複数の細挽き歯ｅ２を形成し、複数の凹溝は、円錐面の上端から円錐面に沿って延伸して細挽き歯に至り、内側に凹状に窪んで傾斜した状態を呈し、直線上の切断歯ｅ１３を有する切断面ｅ１１と、切断歯が下方に延伸して細挽き歯の部位に至り傾斜した平面を形成するガイド面ｅ１２とを具える。【選択図】図１
0003213968.tif 000002
【実用新案登録請求の範囲】
【請求項１】
外側の環状カッター部と内部カッター座とを含んでなる破砕装置であって、
該環状カッター座は環状を呈し、内壁の上部に連続した凹状部を形成して粗挽き歯とし、内壁下部には細挽き歯を形成し、
該内部カッター座は該外側の環状カッター部の内壁に囲繞された空間に設け、かつ該環状カッター部の内壁との間に隙間を開けて間隔を保持し、回転軸によって回動自在に設け、
該内部カッター座は、円錐状を呈し、円錐面の上部に複数の凹溝を形成し、下部に複数の細挽き歯を形成してなり、該複数の凹溝は、円錐面の上端から円錐面に沿って延伸して細挽き歯に至り、内側に凹状に窪んで傾斜した状態を呈し、
該複数の凹溝が切断面と、ガイド面とを具え、該切断面は該内部カッター座の上面から下方に向かって垂直に形成されるとともに、該切断面には円錐面の上端から円錐面に沿って下方に傾斜して直線状の切断歯が形成され、該内部カッター座の上面は多角形状を呈し、
該ガイド面は切断面の切断歯が下方に延伸して該細挽き歯の部位に至り傾斜した平面を形成することを特徴とする破砕装置。
【請求項２】
前記内部カッター座の切断面が、上から下に向かい外方向に傾斜して形成されることを特徴とする請求項１に記載の破砕装置。
【請求項３】
前記内部カッター座の上面が多角形形状を呈することを特徴とする請求項２に記載の破砕装置。
【考案の詳細な説明】
【技術分野】
【０００１】
この考案は、破砕装置に関し、特に顆粒状の食材を破砕し、粉状にするための破砕装置に関する。
【背景技術】
【０００２】
従来の技術によれば、コーヒー豆は、上と下、又は内側と外側に設けた回転するカッター部を通過して挽かれて粉状になる。図８に、従来のコーヒーミルの構造を開示する。図８は、分解したカッター座を示した斜視図であって、カッター座の凹溝の切断面が凹状に窪んで円弧線を描く。その構造は、環状カッター部ａと、内部回転カッター部ｂとを含んでなる。
【０００３】
環状カッター部ａは、環状を呈し、内壁の上部に凹状の粗挽き歯ａ１を連続して形成し、かつ内壁の下部には細挽き歯ａ２を形成する。内部回転カッター座ｂは、環状カッター部ａの内壁が囲繞する空間に設置し、かつ環状カッター部ａの内壁との間に隙間ができるように一定の距離を保ち、回転軸によって動力が伝えられて回転する。また、内部回転カッター座ｂは、略円錐状を呈し、テーパー状の外周面上部には外周面に沿って複数の凹溝ｂ１を形成するとともに、下部には外周面に沿って複数の細挽き歯ｂ２を形成する。凹溝ｂ１には円錐面の上端から下方に向かって逆回転方向に凹状部を形成した螺旋状を呈する。よって、内部回転カーター部ｂは、円錐面上部から下方に向かって螺旋を描く鋸歯状の歯が形成された形態となる。また、凹溝ｂ１は、内側に凹状に窪み、かつ円弧状を呈する切断面ｂ１１と円弧線を描いて湾曲する切断歯ｂ３とを具える。
【０００４】
上述するコーヒーミルは、内部回転カッター部ｂの螺旋状の凹溝ｂ１が内側に凹状に窪み、かつ円弧状を呈するようにデザインされているため、使用する際には、円弧状の凹溝ｂ１の切断面ｂ１１と環状カッター部ａの粗挽き歯ａ１との間において相対的に押し合う力が大きくなりすぎて、デッドロック現象が容易に発生する。このためモータの負荷が大きくなりすぎ、焼損を容易に招く。
【０００５】
図９、１０に、従来の技術であって、第２のコーヒーミルの構造を開示する。図９、１０は、内部のカッター座の凹溝の切断面が内側に傾斜している状態を示した斜視図と説明図である。内部カッター座ｃは円錐状を呈し、円錐面の上部には外周面に沿って複数の凹溝ｃ１が形成され、円錐面の下部には複数の細挽き歯ｃ２が形成される。複数の凹溝ｃ１は。円弧線を描いて湾曲し、円錐面上端から下方に延伸して細挽き歯ｃ２に至るＶ字状の溝である。よって、内部カッター座ｃは、円錐面上端から下方に向かって螺旋を描く鋸歯状の歯が形成された形態となる。
【０００６】
また、複数の凹溝ｃ１は、円錐面から内方向に傾斜して設置された切断面ｃ１１と、円錐面の上端から下方に向かい、かつ下方に窪んで凹状を呈し、円弧線を描いて湾曲するよう設置されたガイド面ｃ１２とを具える。
【０００７】
また、切断面ｃ１１と円錐面とによって、円弧線を描いて湾曲する切断歯ｃ１３を形成する。係る内部カッター座ｃは、凹溝ｃ１の切断面ｃ１１が内方向に傾斜するデザインであるため、上述する第１の従来の技術と同様の欠点を有する。
【０００８】
図１１、１２に、従来の技術による第３のコーヒーミルの構造を開示する。図１１、１２は、内部のカッター座の凹溝の切断面が内側に傾斜している状態を示した斜視図と説明図である。図面に開示するように、内部カッター座ｄは円錐状を呈し、円錐面の上部には外周面に沿って複数の凹溝ｄ１を形成し、下部には複数の細挽き歯ｄ２を形成する。複数の凹溝ｄ１は、円錐面の上端から細挽き歯ｄ２に延伸し、内側に凹状に窪み傾斜状を呈する。よって、内部カッター座ｄは上部が、円錐面から下方に螺旋を描く鋸歯状の歯形成された形態となる。また、複数の凹溝ｄ１は、円錐面から内側に傾斜して設置される切断面ｄ１１と、円錐面の上端から下方に向かい傾斜して設置されたガイド面ｄ１２とを具える。また、切断面ｄ１１と円錐面とによって、円弧線を描いて湾曲する切断歯ｄ１３を形成する。係る内部カッター座ｄは、凹溝ｄ１の切断面ｄ１１が内方向に傾斜するデザインであるため、上述する第２の従来の技術と同様の欠点を有する。
【考案の概要】
【考案が解決しようとする課題】
【０００９】
この考案は、主に上述する技術上の問題を解決するものであって、コーヒー豆を破砕する場合に、コーヒー豆を押さえつけ破砕する力を弱め、破砕装置にデッドロック現象が発生することを防ぎ、モータの過大な負荷によって焼損することを防ぐ破砕装置を提供することを課題とする。
【課題を解決するための手段】
【００１０】
上述する課題を解決するために、この考案の提供する破砕装置は外側の環状カッター部と内部カッター座とを含んでなり、該環状カッター座は環状を呈し、内壁の上部に連続した凹状部を形成して粗挽き歯とし、内壁下部には細挽き歯を形成し、該内部カッター座は該外側環状カッター部の内壁に囲繞された空間に設け、かつ該環状カッター部の内壁との間に隙間を開けて間隔を保持し、回転軸によって回動自在に設け、該内部カッター座は、円錐状を呈し、円錐面の上部に複数の凹溝を形成し、下部に複数の細挽き歯を形成してなり、複数の該凹溝は、円錐面の上端から円錐面に沿って延伸して細挽き歯に至り、内側に凹状に窪んで傾斜した状態を呈し、複数の該凹溝が切断面と、ガイド面とを具え、該切断面は該内部カッター座の上面から下方に向かって垂直に形成されるとともに、該切断面には円錐面の上端から円錐面に沿って下方に傾斜して直線状の切断歯が形成され、該内部カッター座の上面は多角形状を呈し、該ガイド面は切断面の切断歯が下方に延伸して該細挽き歯の部位に至り傾斜した平面を形成する。
【００１１】
前記切断面は、該内部カッター座の上面から下方に向かって垂直に形成されるか。または上から下に向かい外方向に傾斜して形成される。
【００１２】
また、該内部カッター座の上面が多角形形状を呈してもよい。
【考案の効果】
【００１３】
この考案は、内部カッター座の凹溝の切断面が該内部カッター座の上面から下方に向かって垂直に形成されるか、又は上から下に向かい外方向に傾斜して形成されるため、該凹溝の該切断面が、外側の環状カッター部の粗挽き歯によるコーヒー豆を押さえつけて破砕する力を弱める。よって、該環状カッター部と該内部カッター座との間においてデッドロック現象の発生を防ぎ、モータの過大な負荷による焼損を防ぐことができる。
【図面の簡単な説明】
【００１４】
【図１】この考案による破砕装置の環状カッター部と、内部カッター座を示した斜視図である。
【図２】この考案の内部カッター座の平面図である。
【図３】この考案の内部カッター座の側面図である。
【図４】図２に開示するＡ−Ａ線に沿った断面図である。
【図５】図４に開示する内部カッター座の一部を斜めから見た状態を示した説明図である。
【図６】この考案の内部カッター座の切断面が９０度を超えて形成された状態を支援した説明図である。
【図７】この考案の環状カッター部と内部カッター座を組み合わせた状態の平面図である。
【図８】従来の技術の環状カッター部と、内部カッター座を示した斜視図である。
【図９】従来の技術の第２の構造の内部カッター座を示した斜視図である。
【図１０】図９に開示する内部カッター座の平面の構造を示した説明図である。
【図１１】従来の技術の第３の構造の内部カッター座を示した斜視図である。
【図１２】図１１に開示する内部カッター座の平面の構造を示した説明図である。
【考案を実施するための形態】
【００１５】
この考案の技術内容に関して、好ましい実施の形態を挙げて、図面を参照にして以下に詳述する。図面において同一の符号を付したことは、同一の部材であることを表す。但し、以下の説明及び図面に開示する内容は、この考案の実施の範囲を限定するものではない。
【実施例】
【００１６】
図１から図５に開示するように、この考案は一種の破砕装置を提供するものであって、図面の開示によれば、外側環状カッター部ａと、内部カッター座ｅとを含む。外側環状カッター部ａは、環状をなし、内壁に囲繞された空間に他の部材を挿設できる形状を呈する。
【００１７】
外側の環状カッター部ａの内壁には、内周面に沿って粗挽き歯ａ１である凹状部を連続して形成し。内壁下部には細挽き歯ａ２を形成する。内部カッター座ｅは外側環状カッター部ａの内壁に囲繞された空間に設け、かつ環状カッター部ａの内壁との間に隙間を開けて間隔を保持し、回転軸によって回動自在に設ける。
【００１８】
内部カッター座ｅは、円錐状を呈し、円錐面の上部に複数の凹溝ｅ１を形成し、下部に複数の細挽き歯ｅ２を形成する。複数の凹溝ｅ１は、円錐面の上端から円錐面に沿って延伸して細挽き歯ｅ２に至り、内側に凹状に窪み、かつ傾斜した状態を呈する。その特徴は、複数の凹溝ｅ１が切断面ｅ１１と、ガイド面ｅ１２とを具えることにあって、切断面ｅ１１は内部カッター座ｅの上面から下方に向かって垂直に形成され、切断面ｅ１１には円錐面の上端から円錐面に沿って下方に傾斜して直線状の切断歯ｅ１３が形成される。このため内部カッター座ｅの上面は多角形状を呈する。ガイド面１２は切断面ｅ１１の切断歯ｅ１３が下方に延伸して細挽き歯の部位に至り傾斜した平面を形成してなる。
【００１９】
実施例において、切断面ｅ１１は内部カッター座ｅの上面から下方に向かって垂直に形成するが、但し、図６に開示するように上から下に向かい外方向に傾斜する形態であってもよい。
【００２０】
また、実施例において、内部カッター座ｅは上面が正六角形を呈するが、但し、正五角形、又は七角形を呈する形態としてもよい。
【００２１】
この考案の装置を使用する場合、図７に開示するようにコーヒー豆をこの考案の破砕装置に入れると、コーヒー豆は内部カッター座ｅの凹溝ｅ１に沿って下方に移動する。凹溝ｅ１の切断面ｅ１１が内部カッター座ｅの上面から下方に向かって垂直に形成されるか、又は上から下に向かい外方向に傾斜（９０度より大きい）して形成されるため、凹溝ｅ１の切断面ｅ１１が、外側の環状カッター部ａの粗挽き歯ａ１によるコーヒー豆を押さえつけて破砕する力を弱める。よって、外側の環状カッター部ａと内部カッター座ｅとの間においてデッドロック現象の発生を防ぎ、モータの過大な負荷による焼損を防ぐことができる。したがって、従来の破砕装置にみられる外側カッター部と内側カッター部との間で相対的に押し合う力が大きくなりすぎることによって発生する欠点を徹底的に防ぐことができる。
【００２２】
また、この考案では、凹溝ｅ１の切断歯ｅ１３を設けることによって、コーヒー豆をねじ切って破砕する作用を与える。さらには外側環状カッター部ａと内部カッター座ｅとの下部には、それぞれ細挽き歯を形成し、粉状になるように細挽きする。このため、この考案による破砕装置は、好ましい破砕の効果と品質が得られる。したがって、この考案は予期する効果を確実に達成することができる。また、ここに開示する構造は、従来見られなかった創作的なものであって、周知の技術による構造に比して効果をさらに増進させることができる。よって、進歩性と実用性を具える。
【００２３】
以上は、この考案の好ましい実施の形態を示したものに過ぎず、この考案の実施の範囲を限定するものではない。よって、この考案の明細書の記述内容及び図面の開示を応用し、かつ均等の効果を有する構造上の変更などは、いずれもこの考案の実用新案登請求の範囲に含まれるものとする。
【符号の説明】
【００２４】
ａ      環状カッター座
ａ１    粗挽き歯
ａ２    細挽き歯
ｂ      内部回転カッター座
ｂ１    凹溝
ｂ１１  切断面
ｂ２    細挽き歯
ｂ３    切断歯
ｃ      内部回転カッター座
ｃ１    凹溝
ｃ１１  切断面
ｃ１２  ガイド面
ｃ１３  切断歯
ｃ２    細挽き歯  
ｄ      内部カッター座
ｄ１    凹溝
ｄ１１  切断面
ｄ１２  ガイド面
ｄ１３  切断歯
ｄ２    細挽き歯
ａ１    粗挽き歯
ａ２    細挽き歯
ｅ      内部カッター座
ｅ１    凹溝
ｅ１１  切断面
ｅ１２  ガイド面
ｅ１３  切断歯
ｅ２    細挽き歯
【図１】
0003213968.tif 000003
【図２】
0003213968.tif 000004
【図３】
0003213968.tif 000005
【図４】
0003213968.tif 000006
【図５】
0003213968.tif 000007
【図６】
0003213968.tif 000008
【図７】
0003213968.tif 000009
【図８】
0003213968.tif 000010
【図９】
0003213968.tif 000011
【図１０】
0003213968.tif 000012
【図１１】
0003213968.tif 000013
【図１２】
0003213968.tif 000014